(57)【要約】【課題】外光によるフリッカを低減することができる表示装置を提供する。【解決手段】表示装置１において、可視光に対して透過状態と散乱状態とを切り替え可能なスクリーン２１に所定の周期で投影される画像の投影期間に同期した第１散乱状態にスクリーン２１を切り替える制御部３１２が、第１散乱状態と異なるタイミングの散乱状態である第２散乱状態に切り替える。さらに、制御部３１２が、第２散乱状態に、第１散乱状態及び第２散乱状態によって散乱されるスクリーン２１の照明光の光量が一定となるタイミングで切り替えている。【選択図】図１
2016082386.tif 000002
【特許請求の範囲】
【請求項１】
可視光に対して透過状態と散乱状態とを切り替え可能なスクリーンと、
所定の周期で前記スクリーンに投影される画像の投影期間に同期した散乱状態である第１散乱状態に前記スクリーンを切り替える切替部と、
を有する表示装置において、
前記切替部は、前記所定の周期かつ前記第１散乱状態と異なるタイミングの散乱状態である第２散乱状態に切り替え、前記第２散乱状態には、前記第１散乱状態及び前記第２散乱状態によって散乱される前記スクリーンの周囲光の光量が一定となるタイミングで切り替える、
ことを特徴とする表示装置。
【請求項２】
前記スクリーンの周囲光の変化周期を取得する変化周期取得部と、を有し、
前記切替部は、前記変化周期取得部が取得した変化周期をＴ、ｎを整数としたときに、Ｔ×（１/２＋ｎ）の計算式を満たす時間だけ前記第１散乱状態からずらしたタイミングで前記第２散乱状態に切り替えることを特徴とする請求項１に記載の表示装置。
【請求項３】
前記ｎ＝０若しくは−１であることを特徴とする請求項２に記載の表示装置。
【請求項４】
前記変化周期取得部が取得した変化周期に基づいてフリッカの有無を推定するフリッカ推定部を有し、
前記切替部は、前記フリッカ推定部がフリッカがあると推定した場合に、前記第２散乱状態に切り替える、
ことを特徴とする請求項１乃至３のうちいずれか一項に記載の表示装置。
【請求項５】
前記切替部は、前記第１散乱状態と前記第２散乱状態とを同じ期間とすることを特徴とする請求項１乃至４のうちいずれか一項に記載の表示装置。
【請求項６】
前記第２散乱状態にも前記画像が投影されていることを特徴とする請求項１乃至５のうちいずれか一項に記載の表示装置。
【請求項７】
前記スクリーンが、第１電極と複数に分割された第２電極とに挟持された光学層を有し、前記第１電極と前記第２電極との間の電位差によって前記透過状態と前記散乱状態とに切り替え可能となっており、
前記切替部が、前記第１電極に電圧を印加する第１駆動部と、前記複数の第２電極にそれぞれ電圧を印加する複数の第２駆動部と、を有し、
前記第１散乱状態のタイミングと前記第２散乱状態のタイミングとが同じなる前記第２駆動部が共通化されている、
ことを特徴とする請求項１乃至６のうちいずれか一項に記載の表示装置。
【請求項８】
可視光に対して透過状態と散乱状態とを切り替え可能なスクリーンと、
所定の周期で前記スクリーンに投影される画像の投影期間に同期した散乱状態である第１散乱状態に前記スクリーンを切り替える切替部と、
を有する表示装置において、
前記切替部は、前記所定の周期かつ前記第１散乱状態と異なるタイミングの散乱状態である第２散乱状態に切り替え、前記第２散乱状態には、前記第１散乱状態及び前記第２散乱状態によって散乱される前記スクリーンの周囲光の光量の変化量が、前記第１散乱状態のみによって散乱される前記スクリーンの周囲光の光量の変化量よりも少なくなるタイミングで切り替える、
ことを特徴とする表示装置。
【請求項９】
可視光に対して透過状態と散乱状態とを切り替え可能なスクリーンに所定の周期で投影される画像の投影期間に同期した前記散乱状態である第１散乱状態に前記スクリーンを切り替える切替部を有する表示装置の制御方法において、
前記所定の周期かつ前記第１散乱状態と異なるタイミングの散乱状態である第２散乱状態に切り替える第２散乱工程を含み、
前記第２散乱工程は、前記第１散乱状態及び前記第２散乱状態によって散乱される前記スクリーンの周囲光の光量が一定となるタイミングで切り替える、
むことを特徴とする表示装置の制御方法。
【請求項１０】
請求項９に記載の表示装置の制御方法を、コンピュータにより実行させることを特徴とする表示装置の制御プログラム。
【請求項１１】
請求項１０に記載の表示装置の制御プログラムを格納したことを特徴とするコンピュータ読み取り可能な記録媒体。
【請求項１２】
可視光に対して透過状態と散乱状態とを切り替え可能なスクリーンと、
所定の周期で前記スクリーンに投影される画像の投影期間に同期した散乱状態である第１散乱状態に前記スクリーンを切り替える切替部と、
を有する表示装置において、
前記切替部は、前記所定の周期かつ前記第１散乱状態と異なるタイミングの散乱状態である第２散乱状態に切り替える第２散乱工程を含み、
前記第２散乱工程は、前記第１散乱状態及び前記第２散乱状態によって散乱される前記スクリーンの周囲光の光量の変化量が、前記第１散乱状態のみによって散乱される前記スクリーンの周囲光の光量の変化量よりも少なくなるタイミングで切り替える、
ことを特徴とする表示装置。
【請求項１３】
請求項１２に記載の表示装置の制御方法を、コンピュータにより実行させることを特徴とする表示装置の制御プログラム。
【請求項１４】
請求項１３に記載の表示装置の制御プログラムを格納したことを特徴とするコンピュータ読み取り可能な記録媒体。
【発明の詳細な説明】
【技術分野】
【０００１】
本発明は、画像が表示されるスクリーンを有する表示装置に関する。
【背景技術】
【０００２】
例えばガラスのような透明体をスクリーンとしてプロジェクタ等から投射した画像をそのスクリーンに表示する表示装置は、例えば特許文献１のように既に知られている。
【０００３】
特許文献１には、光線透過状態と光線散乱状態とをとることができる液晶層が透明な一対の電極付基板間に挟持されてなるスクリーンと、画像を前記スクリーンに投射する画像投射装置とが備えられた画像表示装置において、光線透過状態と光線散乱状態との組みの繰り返しの最小単位よりなるフレームが所定の関係を満たすようにすることが記載されている。
【０００４】
この種の表示装置において、蛍光灯等の間欠照明下で使用すると、当該照明からの光がスクリーンに外光として入射して、フリッカが生じ、表示品質が低下してしまう場合がある。
【０００５】
表示装置のフリッカについては、例えば特許文献２に、地域の商用電源周波数に応じて液晶等の表示周波数を変更することで、フリッカを防止することが記載されている。
【先行技術文献】
【特許文献】
【０００６】
【特許文献１】特開２００４−１８４９７９号公報
【特許文献２】特開２００２−２０２７７２号公報
【発明の概要】
【発明が解決しようとする課題】
【０００７】
しかしながら、特許文献１に示したような表示装置においては、スクリーンとプロジェクタ等の投射装置とを同期させなければならないため、表示装置（スクリーン）の表示周波数をむやみに変更することはできない。
【０００８】
例えばＭＥＭＳ（Micro Electro Mechanical Systems）レーザプロジェクタなどは、その構造上投射の周波数の変更が困難であり、特許文献２の方法でフリッカを防止するのでは、投射装置の選択の幅を狭めてしまう。
【０００９】
また、蛍光灯等の照明については、インバータ回路等により点滅周期を短くすることでフリッカを目立たなくすることは可能であるが、建物等に予め備え付けてある照明等の場合は、後からインバータ回路等を追加したり、新たな照明に入れ替えたりするのは困難である。
【００１０】
そこで、本発明は、上述した問題に鑑み、例えば、外光によるフリッカを低減することができる表示装置を提供することを課題とする。
【課題を解決するための手段】
【００１１】
上記課題を解決するために、請求項１に記載の発明は、可視光に対して透過状態と散乱状態とを切り替え可能なスクリーンと、所定の周期で前記スクリーンに投影される画像の投影期間に同期した散乱状態である第１散乱状態に前記スクリーンを切り替える切替部と、を有する表示装置において、前記切替部は、前記所定の周期かつ前記第１散乱状態と異なるタイミングの散乱状態である第２散乱状態に切り替え、前記第２散乱状態には、前記第１散乱状態及び前記第２散乱状態によって散乱される前記スクリーンの周囲光の光量が一定となるタイミングで切り替える、ことを特徴としている。
【００１２】
また、請求項８に記載の発明は、可視光に対して透過状態と散乱状態とを切り替え可能なスクリーンと、所定の周期で前記スクリーンに投影される画像の投影期間に同期した散乱状態である第１散乱状態に前記スクリーンを切り替える切替部と、を有する表示装置において、前記切替部は、前記所定の周期かつ前記第１散乱状態と異なるタイミングの散乱状態である第２散乱状態に切り替え、前記第２散乱状態には、前記第１散乱状態及び前記第２散乱状態によって散乱される前記スクリーンの周囲光の光量の変化量が、前記第１散乱状態のみによって散乱される前記スクリーンの周囲光の光量の変化量よりも少なくなるタイミングで切り替える、ことを特徴としている。
【００１３】
また、請求項９に記載の発明は、可視光に対して透過状態と散乱状態とを切り替え可能なスクリーンに所定の周期で投影される画像の投影期間に同期した前記散乱状態である第１散乱状態に前記スクリーンを切り替える切替部を有する表示装置の制御方法において、前記所定の周期かつ前記第１散乱状態と異なるタイミングの散乱状態である第２散乱状態に切り替える第２散乱工程を含み、前記第２散乱工程は、前記第１散乱状態及び前記第２散乱状態によって散乱される前記スクリーンの周囲光の光量が一定となるタイミングで切り替える、ことを特徴としている。
【００１４】
また、請求項１０に記載の発明は、請求項９に記載の表示装置の制御方法を、コンピュータにより実行させることを特徴としている。
【００１５】
また、請求項１１に記載の発明は、請求項１０に記載の表示装置の制御プログラムを格納したことを特徴としている。
【００１６】
また、請求項１２に記載の発明は、可視光に対して透過状態と散乱状態とを切り替え可能なスクリーンと、所定の周期で前記スクリーンに投影される画像の投影期間に同期した散乱状態である第１散乱状態に前記スクリーンを切り替える切替部と、を有する表示装置において、前記切替部は、前記所定の周期かつ前記第１散乱状態と異なるタイミングの散乱状態である第２散乱状態に切り替える第２散乱工程を含み、前記第２散乱工程は、前記第１散乱状態及び前記第２散乱状態によって散乱される前記スクリーンの周囲光の光量の変化量が、前記第１散乱状態のみによって散乱される前記スクリーンの周囲光の光量の変化量よりも少なくなるタイミングで切り替える、ことを特徴としている。
【００１７】
また、請求項１３に記載の発明は、請求項１２に記載の表示装置の制御方法を、コンピュータにより実行させることを特徴としている。
【００１８】
また、請求項１４に記載の発明は、請求項１３に記載の表示装置の制御プログラムを格納したことを特徴としている。
【図面の簡単な説明】
【００１９】
【図１】本発明の第１の実施例にかかる表示装置の概略構成図である。
【図２】図１に示されたスクリーンの模式的な断面図である。
【図３】図１に示されたスクリーンの光学特性と同期して投射するプロジェクタの説明図である。
【図４】図１に示された表示装置における映像光による映像とスクリーンの背景が重なる表示状態の説明図である。
【図５】図１に示された同期制御部の機能的構成図である。
【図６】スクリーン２１の散乱状態と照明器具４１との時間と輝度の変化の関係を示した説明図である。
【図７】図６に第２散乱状態を加えた場合の時間と輝度の変化の関係を示した説明図である。
【図８】図５に示された制御部の動作のフローチャートである。
【図９】本発明の第２の実施例にかかる表示装置の概略構成図である。
【図１０】図８に示された同期制御部の機能的構成図である。
【図１１】図１０に示された照度センサの機能的構成図である。
【図１２】図１０に示された制御部の動作のフローチャートである。
【図１３】本発明の第３の実施例にかかる同期制御部が制御するスクリーンの模式的な断面図である。
【図１４】図１３に示された複数の制御電極の配置を示すスクリーンの模式的な正面図である。
【図１５】図１３に示されたスクリーンの走査と駆動との同期制御の説明図である。
【図１６】図１３に示されたスクリーンを走査するプロジェクタの説明図である。
【図１７】図１３に示されたスクリーンの走査と駆動の模式的なタイミングチャートである。
【図１８】本発明の第３の実施例にかかる同期制御部の機能的構成図である。
【図１９】図１８に示された同期制御部により駆動される駆動波形を示したタイミングチャートである。
【発明を実施するための形態】
【００２０】
以下、本発明の一実施形態にかかる表示装置を説明する。本発明の一実施形態にかかる表示装置は、可視光に対して透過状態と散乱状態とを切り替え可能なスクリーンに所定の周期で投影される画像の投影期間に同期した第１散乱状態にスクリーンを切り替える切替部が、所定の周期かつ第１散乱状態と異なるタイミングの散乱状態である第２散乱状態に切り替える。この第２散乱状態は、第１散乱状態及び第２散乱状態によって散乱されるスクリーンの周囲光の光量が一定となるタイミングで切り替える。このようにすることにより、第１散乱状態及び第２散乱状態によって散乱されるスクリーンの周囲光の光量が一定となるために、外光によるフリッカを低減することができる。
【００２１】
また、スクリーンの周囲光の変化周期を取得する変化周期取得部と、を有し、切替部は、変化周期取得部が取得した変化周期をＴ、ｎを予め定める整数としたときに、Ｔ×（１/２＋ｎ）の計算式を満たす時間だけ第１散乱状態からずらしたタイミングで第２散乱状態に切り替えてもよい。このようにすることにより、例えば周囲光の変化が正弦波状である場合に、第１散乱状態と第２散乱状態とが周囲光の変化周期の半周期の整数倍ずれるので、第１散乱状態及び第２散乱状態によって散乱される周囲光の光量を一定にすることができる。したがって、外光によるフリッカを目立たなくして低減することができる。
【００２２】
また、前記ｎ＝０若しくは−１としてもよい。このようにすることにより、周囲光の変化周期の半周期分ずらしたタイミングで第２散乱状態とすることができ、第１散乱期間と第２散乱期間とが近接するので、人間の目には２つの散乱期間が一体と感じられる。
【００２３】
また、変化周期取得部が取得した変化周期に基づいてフリッカの有無を推定するフリッカ推定部を有し、制御部は、フリッカ推定部がフリッカがあると推定した場合に、第２散乱状態に切り替えるようにしてもよい。このようにすることにより、フリッカがあるときにのみ第２散乱状態に切り替えることができるので、例えば、常時第２散乱状態に変化させるときと比較して透過率を上げることができる。また、設置環境に合わせて自動的にフリッカを目立たなくして低減することができる。
【００２４】
また、切替部は、第１散乱状態と第２散乱状態とを同じ期間としてもよい。このようにすることにより、第２散乱状態に１回切り替えるだけで周囲光の光量を一定にすることができる。
【００２５】
また、第２散乱状態にも画像が投影されていてもよい。このようにすることにより、表示される画像の輝度を上げることができる。
【００２６】
また、スクリーンが、第１電極と複数に分割された第２電極とに挟持された光学層を有し、第１電極と第２電極との間の電位差によって透過状態と散乱状態とに切り替え可能となっており、切替部が、第１電極に電圧を印加する第１駆動部と、複数の第２電極にそれぞれ電圧を印加する複数の第２駆動部と、を有している。この場合において、第１散乱状態のタイミングと第２散乱状態のタイミングとが同じなる第２駆動部が共通化されていてもよい。このようにすることにより、スクリーンが分割されて、各分割領域ごとに第１散乱状態と第２散乱状態とに切り替える場合において、フリッカを目立たなくして低減することができる。また、第２駆動部が共通化されているので、第２駆動部をスクリーンの分割数だけ必要とせず、回路規模や部品点数の削減ができる。
【００２７】
また、本発明の他の一実施形態にかかる表示装置は、可視光に対して透過状態と散乱状態とを切り替え可能なスクリーンに所定の周期で投影される画像の投影期間に同期した第１散乱状態にスクリーンを切り替える切替部が、所定の周期かつ第１散乱状態と異なるタイミングの散乱状態である第２散乱状態に切り替える。この第２散乱状態は、第１散乱状態及び第２散乱状態によって散乱されるスクリーンの周囲光の光量の変化量が、第１散乱状態のみによって散乱されるスクリーンの周囲光の光量の変化量よりも少なくなるタイミングで切り替える。このようにすることにより、第１散乱状態及び第２散乱状態によって散乱されるスクリーンの周囲光の光量が第１散乱状態のみの場合よりも少なくなるために、外光によるフリッカを低減することができる。
【００２８】
また、本発明の一実施形態にかかる表示装置の制御方法は、可視光に対して透過状態と散乱状態とを切り替え可能なスクリーンに所定の周期で投影される画像の投影期間に同期した第１散乱状態にスクリーンを切り替える切替部が、所定の周期かつ第１散乱状態と異なるタイミングの散乱状態である第２散乱状態に切り替える第２散乱工程を実行する。この第２散乱工程は、第１散乱状態及び第２散乱状態によって散乱されるスクリーンの周囲光の光量が一定となるタイミングで切り替える。このようにすることにより、第１散乱状態及び第２散乱状態によって散乱されるスクリーンの周囲光の光量が一定となるために、外光によるフリッカを低減することができる。
【００２９】
また、上述した表示装置の制御方法をコンピュータにより実行させる表示装置の制御プログラムとしてもよい。このようにすることにより、コンピュータを用いて、第１散乱状態及び第２散乱状態によって散乱されるスクリーンの周囲光の光量が一定となるために、外光によるフリッカを低減することができる。
【００３０】
また、上述した表示装置の制御プログラムをコンピュータ読み取り可能な記録媒体に格納してもよい。このようにすることにより、当該プログラムを機器に組み込む以外に単体でも流通させることができ、バージョンアップ等も容易に行える。
【００３１】
また、本発明の他の一実施形態にかかる表示装置の制御方法は、可視光に対して透過状態と散乱状態とを切り替え可能なスクリーンに所定の周期で投影される画像の投影期間に同期した第１散乱状態にスクリーンを切り替える切替部が、所定の周期かつ第１散乱状態と異なるタイミングの散乱状態である第２散乱状態に切り替える第２散乱工程を実行する。この第２散乱工程は、第１散乱状態及び第２散乱状態によって散乱される前記スクリーンの周囲光の光量の変化量が、第１散乱状態のみによって散乱されるスクリーンの周囲光の光量の変化量よりも少なくなるタイミングで切り替える。このようにすることにより、第１散乱状態及び第２散乱状態によって散乱されるスクリーンの周囲光の光量が第１散乱状態のみの場合よりも少なくなるために、外光によるフリッカを低減することができる。
【００３２】
また、上述した表示装置の制御方法をコンピュータにより実行させる表示装置の制御プログラムとしてもよい。このようにすることにより、コンピュータを用いて、第１散乱状態及び第２散乱状態によって散乱されるスクリーンの周囲光の光量が第１散乱状態のみの場合よりも少なくなるために、外光によるフリッカを低減することができる。
【００３３】
また、上述した表示装置の制御プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００３４】
本発明の第１の実施例にかかる表示制御装置を備える表示装置１を図１乃至図８を参照して説明する。表示装置１は図１に示すように、スクリーン２１と、同期制御部３１と、を備え、プロジェクタ１１が接続されている。表示装置１は、プロジェクタ１１の映像光をスクリーン２１で透過散乱する透過型プロジェクション装置である。また、表示装置１には、照明器具４１からスクリーン２１に向かって照明されている。
【００３５】
プロジェクタ１１は、走査周期中にスクリーン２１上で黒状態（投射光が出ない状態）を順次シフトさせる透過型あるいは反射型液晶ライトバルブなどを使用できるが、これ以外の素子を用いてもよい。また、プロジェクタ１１は、映像の走査周期においてラスター走査し、スクリーン２１の表示面に映像光（画像光）を点順次で投射するものでもよい。つまり、映像光が所定の周期で間欠的に投射される。このプロジェクタ１１では、強度変調された光ビームの照射方向を可動ミラーで反射して振るような、例えばレーザプロジェクタなどを用いることができる。このプロジェクタ１１は、映像光の照射位置がスクリーン２１上の一方向に順次走査されているものと同様に考えることができる。
【００３６】
プロジェクタ１１は、スクリーン２１へ映像情報（画像情報）により変調された映像光を投射できるものであればよい。なお、映像情報は、プロジェクタ１１に入力される映像信号から得られる。映像信号には、たとえば、ＮＴＳＣ（National Television Standards Committee）方式、ＰＡＬ（Phase Alternation by Line）方式のようなアナログ方式の映像信号、ＭＰＥＧ−ＴＳ（Moving Picture Experts Group − Transport Stream）フォーマット、ＨＤＶ（High-Definition Video）フォーマットのようなデジタルフォーマットの映像信号がある。プロジェクタ１１には、動画の映像信号だけでなく、たとえばＪＰＥＧ（Joint Photographic Experts Group）のような静止画の映像信号が入力されてもよい。この場合、プロジェクタ１１は、静止画を表示するための同じ映像光で、スクリーン２１を繰り返し走査すればよい。
【００３７】
スクリーン２１は、電圧の印加により光学状態を変化できるものであればよい。スクリーン２１の光学状態は、散乱する状態が映像状態であり、それよりも入射光の散乱が小さく且つ平行光線透過率が高い透明な透過状態が非映像状態である。即ち、光に対し透過状態と散乱状態とを切り替え可能となっている。
【００３８】
スクリーン２１は、例えば、液晶材料を用い、散乱状態と入射光の散乱が小さい透明な透過状態を変化させる調光スクリーンなどでよい。調光スクリーンには、例えば、高分子分散液晶などの液晶素子を用いたもの、透明セル内の白色粉体を移動させることで散乱状態と入射光の散乱が小さい透明な透過状態を制御する素子などを用いたものなどがある。
【００３９】
図２に、光学状態を制御可能なスクリーン２１の模式的な断面図を示す。図２に示したスクリーン２１は、一対の透明なガラス板２３、２４の間に液晶を含む複合材料等を挟み込んだ光学層２５を有する。一方のガラス板２４の光学層２５側には、全面に対向電極２６が形成される。他方のガラス板２３の光学層２５側には、全面に制御電極２７が配置される。なお、電極２６、２７と光学層２５との間に、絶縁体からなる中間層を形成してもよい。
【００４０】
また、対向電極２６および制御電極２７は、たとえばＩＴＯ（酸化インジウム・スズ）により、透明電極として形成される。光学層２５は、制御電極２７と対向電極２６との間に配置される。また、対向電極２６および制御電極２７は、少なくともいずれか一方が、入射光の一部を透過させるハーフミラーとなるような電極として構成されていてもよい。
【００４１】
スクリーン２１は、第１電極としての対向電極２６と第２電極としての制御電極２７との間に電位差を生じるように電圧が印加される。光学層２５内の光学状態は、対向電極２６と制御電極２７の印加電圧により変化する。
【００４２】
スクリーン２１は、電位差を生じるように電圧が印加された際の状態によりリバースモードとノーマルモードに分類される。リバースモードで動作するスクリーン２１は、電圧を印加していない通常状態において、スクリーン２１が透明な透過状態となる。電圧を印加すると、印加電圧に応じた平行光線の散乱率の散乱状態となる。ノーマルモードで動作するスクリーンでは、電圧を印加していない通常状態において、スクリーンが散乱状態となる。電圧を印加すると、印加電圧に応じた平行光線透過率の透明な透過状態となる。そして、スクリーン２１の光学状態は、所定の散乱状態が映像状態に対応し、それよりも平行光線透過率が高い透明な透過状態が非映像状態に対応する。なお、本実施例では、リバースモードで説明するが、ノーマルモードでも適用できる。
【００４３】
同期制御部３１は、映像（画像）が光として投射されるスクリーン２１を、投射された映像光を散乱する状態に制御し、投射されていない場合に透過状態に制御する。同期制御部３１は、図１に示したように、プロジェクタ１１とスクリーン２１とに接続される。同期制御部３１は、プロジェクタ１１の映像光の投射に同期させて、スクリーン２１の光学状態を制御する。
【００４４】
次に、本実施例にかかる表示装置１において、スクリーン２１の光学特性と同期して投射するプロジェクタ１１の投射方式を、図３を参照して説明する。図３は、プロジェクタ１１がインターバルを空けて映像光を投射する方式の説明図である。この場合、スクリーン２１には、図３（Ｂ）に示すように、走査周期の一部において短期的に映像光が投射される。スクリーン２１は、図３（Ｃ）に示すように、該一部の期間において散乱状態とすればよい。
【００４５】
そして、該一部以外の期間において、スクリーン２１の平行光線透過率を高くするようにスクリーン２１の光学状態を制御すると、走査周期おいて、映像の輝度低下を招くことなく、スクリーン２１のシースルー特性が得られる。定常的に映像光を投射する場合に比べ、同一輝度を得るには、１走査周期に対する散乱状態の時間程度のデューティ（図中ｄｕｔｙ：ａ）の概ね逆数倍の強さの投影光が必要となる。従って高いシースルー特性を得るには、強力なパルス発光の投射光出力が必要である。
【００４６】
このようにプロジェクタ１１とスクリーン２１とを制御することで、スクリーン２１は、その背面の物体を認識しうる透明さを有しつつ、常時散乱状態とした場合と同等の明るさで映像光を散乱して透過できる。つまり、背景物体を認識することが可能なシースルー性と、映像の高い視認性とを両立することが可能となる。
【００４７】
このプロジェクタ１１とスクリーン２１との同期制御のための切り替えタイミングの情報は、プロジェクタ１１が出力する垂直同期信号等の画像周期信号に基づいて、同期制御部３１からスクリーン２１へ送出される。なお、プロジェクタ１１およびスクリーン２１と同期制御部３１をマイクロ波、赤外線などの電磁波を用いたワイヤレス通信可能とし、これらの同期を得るための情報を無線信号により授受してもよい。
【００４８】
表示装置１では、たとえば図１の設置環境下では、図４に示したように画像を視認できる。図４は、映像光による映像とスクリーン２１の背景とが重なる表示状態の説明図である。図４では、スクリーン２１に映像光による三角形と円形の画像が映るとともに、スクリーン２１の向こう側にある背景としての樹木４２も同時に見ることができる。
【００４９】
次に、図５に同期制御部３１の機能的構成を示す。同期制御部３１は、外光周波数入力部３１１と、制御部３１２と、を備えている。
【００５０】
外光周波数入力部３１１は、例えば押しボタンやスイッチ、摘み等の入力手段（リモコン等の遠隔操作できる手段であってもよい）で構成されている。外光周波数入力部３１１は、照明器具４１の商用交流電源の周波数に依存することが多いので、例えば、照明器具４１の商用交流電源の周波数が５０Ｈｚの場合はその２倍の１００Ｈｚ、６０Ｈｚの場合はその２倍の１２０Ｈｚといったように、商用交流電源の周波数を入力して２倍にするものでもよいし、他の測定手段等で測定された外光（照明器具４１）の変化（点滅）の周波数の数値を入力してもよい。
【００５１】
なお、本実施例ではスクリーン２１の映像光以外の周囲光（外光）としては、説明を容易にするために、照明器具４１からの照明光のみであるとして説明する。太陽光等の自然光も周囲光となり得るが、フリッカの要因とはならない（数十Ｈｚ以上の周波数で輝度が変化しない）ので特に説明をしない限り考慮しないものとする。
【００５２】
切替部としての制御部３１２は、上述した図３で説明したプロジェクタ１１とスクリーン２１の制御とともに、外光周波数入力部３１１から入力された外光周波数に基づいて、後述する第２散乱状態のタイミングを決定して、スクリーン２１を１映像周期（例えば１フレーム）に２回散乱状態とする。
【００５３】
照明器具４１は、例えば蛍光灯等の間欠照明を用いている。また、照明器具４１は蛍光灯に限らず、交流電源をＡＣ−ＤＣコンバータ（スイッチングレギュレータなど）を用いて直流電源に変換する回路等を有しないＬＥＤ照明等、フリッカが発生しやすい構成の照明であってもよい。また、上記回路等を用いてフリッカ対策を講じている場合でも、回路等を構成する部品の劣化等によりフリッカが発生する場合は以下に説明する方法を適用してもよい。
【００５４】
ここで、上述した構成の表示装置１において、フリッカが発生する要因について図６を参照して説明する。図６は、スクリーン２１の散乱状態と照明器具４１との時間と輝度の変化の関係を示した図である。
【００５５】
図６において、スクリーン２１は、６０Ｈｚの周波数（１／６０秒周期）で所定期間散乱状態となる。例えば、時刻ｔ１から所定期間散乱状態となり、時刻ｔ１から約１６．７ミリ秒後の時刻ｔ２から所定期間散乱状態となる。即ち、この６０Ｈｚを周期換算した１／６０秒が図３（Ｂ）に示したプロジェクタ１１の走査周期（１映像周期）であり、所定期間が図３（Ｂ）の斜線部分の幅に対応する。
【００５６】
図６のｌは、照明器具４１（外光）の輝度変化を示している。図６の場合、照明器具４１の輝度は１００Ｈｚの周波数（１／１００秒周期）で変化している。なお、照明器具４１は、輝度が０と所定値との間で変化するに限らず、０を超える下限値と上限値との間で変化する場合も含むものとする。つまり、本明細書において、点滅とは、輝度が０と所定値との間で変化するに限らず周期的に発生する輝度の変化も含むものとする。
【００５７】
図６の斜線部分は、スクリーン２１の散乱状態時の照明器具４１からの照明光の散乱光量となる。図６の場合、照明器具４１の輝度変化の周期とスクリーン２１の散乱状態への変化周期が異なるため、スクリーン２１の散乱状態時の照明器具４１からの照明光の散乱光量が異なり、図６の点線で示したような２０Ｈｚのフリッカが現れてしまう。
【００５８】
そこで、本実施例においては、図７に示したように、１走査周期（１映像周期）期間内で、図６で示したｔ１から所定期間の散乱状態（第１散乱状態）と異なるタイミングのｔ１１において２回目の散乱状態（第２散乱状態）に切り替えるようにしている。つまり、１映像周期内で２回散乱状態に切り替えている。
【００５９】
第２散乱状態は図７に示したように、時刻ｔ１１は、第１散乱状態から５ミリ秒ずらした時刻となっている。この５ミリ秒は、照明器具４１の変化周期の１／２（１／１００秒／２）である。即ち、変化周期取得部が取得した変化周期をＴ、ｎを整数としたときに、Ｔ×（１/２＋ｎ）の計算式を満たす時間だけ第１散乱状態からずらしたタイミングで第２散乱状態としている（図７ではｎ＝０）。なお、第１散乱状態と第２散乱状態の散乱期間は同じとなっている。
【００６０】
このようにすることにより、第１散乱状態で散乱された照明光と第２散乱状態で散乱された照明光を加えた明るさとして観察者には認識され、結果的に散乱状態に散乱される照明光の輝度が平均化される（図７の点線ａ）。
【００６１】
上述した動作を図８のフローチャートにまとめる。まず、照明器具４１の輝度変化の周波数を外光周波数入力部３１１から入力し（ステップＳ１１）、制御部３１２が第２散乱状態のタイミングを算出する（ステップＳ１２）。そして、プロジェクタ１１から取得した映像周期信号に基づくタイミングとステップＳ１２で算出したタイミングとでそれぞれ第１散乱状態、第２散乱状態に切り替えて映像を表示する（ステップＳ１３）。即ち、ステップＳ１３が第２散乱工程として機能する。
【００６２】
本実施例によれば、表示装置１において、可視光に対して透過状態と散乱状態とを切り替え可能なスクリーン２１に所定の周期で投影される画像の投影期間に同期した第１散乱状態にスクリーン２１を切り替える制御部３１２が、第１散乱状態と異なるタイミングの散乱状態である第２散乱状態に切り替える。さらに、制御部３１２が、第２散乱状態に、第１散乱状態及び第２散乱状態によって散乱されるスクリーン２１の照明光の光量が一定となるタイミングで切り替えている。このようにすることにより、第１散乱状態及び第２散乱状態によって散乱されるスクリーン２１の照明光の光量が一定となるために、外光によるフリッカを目立たなくして低減することができる。
【００６３】
また、照明光の変化周期を取得する外光周波数入力部３１１と、を有し、制御部３１２は、外光周波数入力部３１１が取得した変化周期をＴ、ｎを予め定める整数としたときに、Ｔ×（１/２＋ｎ）の計算式を満たす時間だけ第１散乱状態からずらしたタイミングで第２散乱状態としている。このようにすることにより、例えば照明光の変化が正弦波状である場合に、第１散乱状態及び第２散乱状態によって散乱される照明光の光量を一定にすることができる。したがって、外光によるフリッカを目立たなくして低減することができる。
【００６４】
また、前記ｎ＝０としているので、照明光の変化周期の半周期分ずらしたタイミングで第２散乱状態とすることで、第１散乱状態及び第２散乱状態によって散乱される照明光の光量を一定にすることができる。
【００６５】
なお、上述した実施例では、ｎ＝０としていたが、ｎ＝１以上の整数としてもよい。また、−１以下の整数であってもよい。１以上の整数の場合は時間的に後ろにずれ、−１以下の整数の場合は時間的に前にずれる。これらの場合でも、ｎに基づく期間経過後には第１散乱状態及び第２散乱状態によって散乱される照明光の光量を一定にすることができる。但し、ｎ＝０若しくは−１の場合は、第１散乱期間と第２散乱期間とが近接するので、人間の目には２つの散乱期間が一体と感じられるため好ましい。
【００６６】
また、第２散乱状態に映像光が投影されてもよい。この場合は、１映像周期の期間（映像周波数）は変更せずに、１映像周期内に複数回映像光を投影することが可能なプロジェクタが必要となる。このようにすれば、表示される映像の輝度を上げることができる。
【００６７】
また、上述した実施例では、第１散乱状態に加える形で第２散乱状態としていた。そのため、第２散乱状態の分だけ透過率が低下してしまう。そこで、第１散乱状態と第２散乱状態の期間（所定期間）をそれぞれ半分にすることで、従来と同様の透過率で表示することが可能となる。
【実施例２】
【００６８】
次に、本実施例の第２の実施例にかかる表示装置１を図９乃至図１２を参照して説明する。なお、前述した第１の実施例と同一部分には、同一符号を付して説明を省略する。
【００６９】
本実施例では、図９に示したように、第１の実施例で示した外光周波数入力部３１１に代えて照度センサ５１を有し、図１０に示したように、制御部３１２Ａが照度センサ５１の出力に基づいてフリッカの発生を推定して第２散乱状態への切り替えを行う。
【００７０】
照度センサ５１は、例えば照明器具４１の近傍に配置される。照度センサ５１の構成例を図１１に示す。照度センサ５１は、フォトダイオード５１１と、アンプ５１２と、フィルタ回路５１３と、波形整形回路５１４と、を備えている。
【００７１】
フォトダイオード５１１は、スクリーン２１の照明器具４１からの照明光を電気信号に変換する周知の素子である。
【００７２】
アンプ５１２は、フォトダイオード５１１で受けた照明光の電気信号を増幅するものである。
【００７３】
フィルタ回路５１３は、アンプ５１２からの出力信号から高周波ノイズを除去するものである。
【００７４】
波形整形回路５１４は、フィルタ回路５１３からの出力信号を、照明器具４１の点滅等の輝度の変化周期を示す周波数の波形に整形出力するものである。即ち、フィルタ回路５１３の出力は、フォトダイオード５１１が出力した照明器具４１の点滅による輝度の変化の周期を示す信号となる。そこで、波形整形回路５１４は、輝度の変化の周期と同じ周期の矩形波等に整形して出力する。
【００７５】
制御部３１２Ａでは、波形整形回路５１４が出力した波形の周波数を検出する。そして、その検出された周波数がフリッカが発生するような周波数である場合は、第１の実施例と同様に、Ｔ×（１/２＋ｎ）の計算式を満たす時間だけ第１散乱状態からずらしたタイミングで第２散乱状態とする。フリッカが発生するような周波数は、予め実験等により照明器具の種類と１映像周期との組み合わせに基づいて適宜決定すればよいが、例えば３００Ｈｚ以下と設定すればよい。なお、本実施例においては、波形整形回路５１４が出力した波形の周波数の逆数がＴとなることは明らかである。即ち、制御部３１２Ａはフリッカ推定部として機能し、フリッカの有無を推定している。
【００７６】
本実施例の動作を図１２のフローチャートにまとめる。まず、照度センサ５１で外光周波数を検出し（ステップＳ２１）、制御部３１２Ａで外光周波数がフリッカが発生するような周波数か否か判定する（ステップＳ２２）。判定の結果フリッカが発生するような周波数であった場合は（ステップＳ２２がＹＥＳ）、第２散乱状態のタイミングを算出する（ステップＳ２３）。そして、プロジェクタ１１から取得した映像周期信号に基づくタイミングとステップＳ２３で算出したタイミングとでそれぞれ第１散乱状態、第２散乱状態に切り替えて映像を表示する（ステップＳ２４）。
【００７７】
一方、ステップＳ２２の判定の結果フリッカが発生するような周波数でない場合は（ステップＳ２２がＮＯ）、第１散乱状態のみでの映像表示を行う（ステップＳ２４）。
【００７８】
本実施例によれば、照度センサ５１で取得した周波数に基づいてフリッカを検出する制御部３１２Ａを有し、制御部３１２Ａは、フリッカを検出した場合に、第１散乱状態と異なるタイミングの散乱状態である第２散乱状態に切り替え、第１散乱状態及び第２散乱状態によって散乱されるスクリーンの周囲光の光量が一定となるようにしている。このようにすることにより、フリッカがあるときにのみ第２散乱状態に変化させることができるので、例えば、常時第２散乱状態に変化させるときと比較して透過率を上げることができる。また、設置環境に合わせて自動的にフリッカを目立たなくして低減することができる。
【００７９】
なお、図１１では、照度センサ５１は、フォトダイオード５１１と、アンプ５１２と、フィルタ回路５１３と、波形整形回路５１４と、を備えていたが、フォトダイオード５１１のみとし、他の回路等は制御部３１２Ａに備えるようにしてもよい。即ち、照度センサ５１は、少なくともフォトダイオード５１１を備えていればよく、他の回路等は照度センサ５１または制御部３１２Ａのいずれかにあればよい。
【実施例３】
【００８０】
次に、本発明の第３の実施例にかかる表示装置を図１３乃至図１９を参照して説明する。なお、前述した第１、第２の実施例と同一部分には、同一符号を付して説明を省略する。
【００８１】
本実施例にかかる表示装置１は、図１３や図１４に示したように、スクリーン２１が複数の領域に分割されている。図１３に、分割領域毎に光学状態を制御可能なスクリーン２１の模式的な断面図を示し、図１４に、図１３に示したスクリーン２１での、複数の制御電極の配置を示すスクリーンの模式的な正面図を示す。図１３に示したスクリーン２１は、一対の透明なガラス板２３、２４の間に液晶を含む複合材料を挟み込んだ光学層２５を有する。一方のガラス板２４の光学層２５側には、全面に対向電極２６が形成される。他方のガラス板２３の光学層２５側には、複数の制御電極２７が並べて配置される。
【００８２】
複数の制御電極２７は、スクリーン２１の映像光が照射される領域を、一方向（たとえば走査方向）で短冊状に分割する（図１４参照）。複数の制御電極２７は、同期制御部３１に個別に接続され、個別に電圧を印加することができる。隣接する制御電極２７は、互いに離間して配列される。なお、図１４では短冊状の領域が縦に配置されているが、横方向にも分割して、マトリクス状に領域が分割されていてもよい。
【００８３】
また、本実施例の光学層２５は、分割領域毎に、入射光の散乱が小さい透明な透過状態と、入射光を散乱する散乱状態との間で調整できる。
【００８４】
なお、制御電極２７の間の、制御電極２７が形成されていない領域に対応した光学層２５内のギャップ領域の幅は、５から１００マイクロメートル程度であり、可能な限り狭いことが望ましい。光学層２５の厚さは、数から数十マイクロメートルであり、光学特性と駆動電圧を考慮して決定される。
【００８５】
次に、本実施例の表示装置１の基本的な動作原理を説明する。図１５は、スクリーン２１の走査と駆動との同期制御の説明図である。プロジェクタ１１は、映像情報で変調された映像光で、スクリーン２１を上から下へ縦に走査する。プロジェクタ１１は、走査の繰り返し期間（以下、走査周期ともいう。）毎に、スクリーン２１を上から下へ縦に走査する。
【００８６】
図１５（Ａ）から（Ｅ）は、１回の走査周期中の各時点での走査状態を、走査順で示すものである。図１５のスクリーン２１は、５つの分割領域２２を有する。５つの分割領域２２は、映像光の走査方向に沿って縦に配列される。
【００８７】
同期制御部３１は、プロジェクタ１１によるスクリーン２１の一次元の縦方向の走査に同期させて、５つの分割領域２２の光学状態を個別に制御する。各分割領域２２は、映像光が投影されていない場合、非映像状態、すなわち入射光の散乱が小さい透明な透過状態に制御される。
【００８８】
映像光の走査が開始されると、プロジェクタ１１の走査光は、まず、図１５（Ａ）のように、スクリーン２１の最上部の分割領域２２に照射される。以下、この説明において、走査光が照射される分割領域２２について、走査されていない他の分割領域２２から区別するために、符号２２１を使用する。同期制御部３１は、プロジェクタからの同期信号に基づいて、走査周期中での、この最上部の分割領域２２１が走査される期間を特定し、最上部の分割領域２２１を映像状態に制御する。最上部の分割領域２２１を走査する映像光は、散乱状態の分割領域２２１により散乱され、スクリーン２１を透過する。
【００８９】
映像光の走査は、次に、図１５（Ｂ）のように、スクリーン２１の上から２番目の分割領域２２１に移動する。同期制御部３１は、走査周期中での、この上から２番目の分割領域２２１が走査される期間を特定し、上から２番目の分割領域２２１を映像状態に制御する。上から２番目の分割領域２２１を走査する映像光は、散乱状態の分割領域２２１により散乱され、スクリーン２１を透過する。また、同期制御部３１は、上から２番目の分割領域２２１を映像状態に制御した後、最上部の分割領域２２を非映像状態に制御する。その後も、図１５（Ｃ）から（Ｅ）に示すように、同期制御部３１は、走査光により走査される分割領域２２１を映像状態に制御し、それ以外の分割領域２２を非映像状態に制御する。
【００９０】
以上の同期制御により、スクリーン２１についての走査光が照射される部位は、映像状態に維持される。これにより、スクリーン２１を走査する映像光は、散乱状態のスクリーン２１で散乱される。また、スクリーン２１についての走査光が照射されない部位は、非映像状態に制御される。各分割領域２２は、走査光により走査されていない殆どの期間において、非映像状態の透明な透過状態に制御される。映像光の投影期間中に、映像の視認性を保ちつつ、スクリーン２１のシースルー特性が得られる。
【００９１】
図１６に、本実施例にかかるプロジェクタ１１の投影方式の説明を示す。図１６は、スクリーン２１を走査するプロジェクタ１１の説明図である。図１６（Ａ）は、プロジェクタ１１がスクリーン２１を走査する投影方式の説明図である。この場合、スクリーン２１には、走査周期において常に映像光が投影される。しかしながら、スクリーン２１の各部に注目すると、図１６（Ｂ）に示すように走査周期の一部において映像光が投影されている。このため、図１６（Ｃ）に示すように、スクリーンの各部は、各々が走査される部分走査期間ＴＰにおいて散乱状態になればよい。また、スクリーン２１の各部分は、該部分走査期間ＴＰ以外の期間において平行光線透過率を高くするように制御すれば、走査周期において、映像の輝度低下を招くことなく、スクリーン２１のシースルー特性が得られる。
【００９２】
図１４に示したスクリーン２１のように一方向に短冊状に分割されている場合、プロジェクタ１１の投影光は、スクリーン２１の分割方向に順次走査される。同期制御部３１は、プロジェクタ１１からの同期信号に基づいて、プロジェクタ１１の投影光が照射される部位が映像状態（本実施例では散乱状態）に維持されるように、複数の分割領域２２を、走査順で、透明な透過状態から散乱状態に制御する。この同期制御により、スクリーン２１の各分割領域２２は、当該領域に投影光が照射される映像期間を含む期間Ｔｏｎ（図１７参照）において、映像状態としての散乱状態になる。また、投影光が照射されない非映像期間Ｔｏｆｆ（図１７参照）においては、非映像状態としての透明な透過状態となる。
【００９３】
したがって、スクリーン２１は、その背面の物体を認識しうる透明さを有しつつ、常時散乱状態とした場合と同等の明るさで映像光を散乱して透過できる。つまり、背景物体を認識することが可能なシースルー性と、映像の高い視認性とを両立することが可能となる。
【００９４】
図１７は、スクリーン２１の走査と駆動との模式的なタイミングチャートである。横軸は、時間である。縦軸は、スクリーンの縦方向の位置を示し、スクリーン２１での複数の分割領域２２に対応する。
【００９５】
スクリーン２１の各分割領域２２は、各々の領域を映像光が走査し始めるタイミングより前に、透明な透過状態から散乱状態に制御される。また、散乱状態の分割領域２２は、当該領域についての走査が終了した後に、散乱状態から透明な透過状態に制御される。
【００９６】
複数の分割領域２２は、各々の領域に映像光が走査により照射される部分走査期間ＴＰに同期して映像状態（散乱状態）に制御されることにより、走査順で、時間をずらして、順次映像状態へ切り替えられる。スクリーン２１を走査する映像光は、映像状態に維持された部分により、効率よく散乱され、明るく高い視認性を得ることができる。なお、図１７中映像光走査が３本の矢印で表示されているが、これは赤緑青の光の３原色それぞれに対応する映像光を示している。
【００９７】
以上の同期制御により、スクリーン２１は、映像光が照射されるタイミングを含む期間Ｔｏｎにおいて、映像光が照射される部位が散乱状態に維持されるため、映像を表示できる。
【００９８】
しかも、スクリーン２１は、映像光の投影期間中に、各部位が期間Ｔｏｎ以外の時間では透明な透過状態に制御されるので、スクリーン２１を透視することができる。人間の目にはスクリーン２１の透過光が平均（積分）化されて見えるので、十分短い走査周期の場合、背景物体を認識することが可能なシースルー性と、映像の高い視認性とを両立することが可能となる。
【００９９】
このような構成の場合でも、第１、第２の実施例の構成を適用することでフリッカを目立たなくすることができる。この場合、各分割領域ごとに所定のタイミングで第２散乱状態に変化させればよい。
【０１００】
本実施例にかかる同期制御部３１の機能的構成の要部ブロック図を図１８に示す。同期制御部３１は、第１の実施例と同様に外光周波数入力部３１１と、制御部３１２と、を備えている。制御部３１２は、共通制御信号生成部３１２ａと、駆動制御信号生成部３１２ｂと、演算部３１２ｃと、ドライバ３１２ｄ、３１２ｅと、を備えている。なお、図１８は、第１の実施例を基にした構成であるが、勿論第２の実施例を基にした構成であってもよい。
【０１０１】
共通制御信号生成部３１２ａは、プロジェクタ１１が出力する垂直同期信号等の画像周期信号に基づいて共通制御信号を生成する。共通制御信号は、主に対向電極２６に印加する電圧波形を生成するための信号となる。
【０１０２】
駆動制御信号生成部３１２ｂは、共通制御信号生成部３１２ａが出力した共通制御信号に基づいて駆動制御信号を生成する。駆動制御信号は、複数の制御電極２７それぞれに印加する電圧波形を生成するための信号となる。本実施例では、駆動制御信号は１２ビット（１２本）出力されている。これは、ドライバ３１２ｅが１２個あるためである、つまり、それぞれのドライバ３１２ｅに対応した駆動制御信号が出力される。
【０１０３】
演算部３１２ｃは、共通制御信号等に基づいて第１散乱状態のタイミングを演算するとともに、外光周波数入力部３１１から入力された外光周波数に基づいて、後述する第２散乱状態のタイミングを演算して、駆動制御信号生成部３１２ｂに当該タイミングを指示する。
【０１０４】
ドライバ３１２ｄは、対向電極２６に接続されて図示しない駆動電圧回路から供給される駆動電圧を出力するドライバ回路である。ドライバ３１２ｄは、共通制御信号に基づいて駆動電圧を出力する。
【０１０５】
ドライバ３１２ｅは、複数の制御電極２７に接続されて図示しない駆動電圧回路から供給される駆動電圧を出力するドライバ回路である。ドライバ３１２ｅは、駆動制御信号に基づいて各制御電極２７に駆動電圧を出力する。ドライバ３１２ｅは、本実施例では上述したように１２個設けられている。
【０１０６】
次に、上述した構成における、スクリーン２１の駆動波形例を図１９を参照して説明する。図１９のＣＯＭは、対向電極２６に印加される電圧波形、即ち、ドライバ３１２ｄの出力波形である。ＣＯＭは、１映像周期ごとにＨｉｇｈレベルとＬｏｗレベルとを交互に変化するような波形となっている。なお、図中の点線は光学層２５の変化を示したものである（Ｈｉｇｈ＝散乱、ＬＯＷ＝透過）。
【０１０７】
図１９のＣＨ１〜ＣＨ２２は、複数の制御電極２７に印加される電圧波形である。図１９の例では、制御電極２７は２２分割されている。つまり、分割領域の並びの順に、ＣＨ１、ＣＨ２、ＣＨ３、…、ＣＨ２２と電圧波形が印加される。そして、例えばＣＨ１は、散乱状態とする場合にはＬｏｗレベル、透過状態とする場合はＨｉｇｈレベルとなるような波形となっている。このようにすることで、対向電極２６と制御電極２７との間に電位差を生じさせ散乱状態とすることができる（リバースモード）。ＣＨ２〜ＣＨ２２も同様である。
【０１０８】
図１９において、ＣＨ１〜ＣＨ１２は、１回目の散乱状態が映像の表示を目的とした第１散乱状態、２回目の散乱状態がフリッカ対策としての第２散乱状態である。ＣＨ１３〜ＣＨ２２は、１回目の散乱状態がフリッカ対策としての第２散乱状態、２回目の散乱状態が映像の表示を目的とした第１散乱状態である。このようにすることで、図１５等で説明した方法で映像を表示しながら、１映像周期内で第２散乱状態に変化させることが可能となる。
【０１０９】
ここで、ＣＨ１とＣＨ１３は散乱状態の目的を考慮しなければ電圧波形としては同一である。したがって、これらの電圧波形を出力するドライバ３１２ｄは共通化することができる。これは、ＣＨ２とＣＨ１４、ＣＨ３とＣＨ１５、ＣＨ４とＣＨ１６、ＣＨ５とＣＨ１７、ＣＨ６とＣＨ１８、ＣＨ７とＣＨ１９、ＣＨ８とＣＨ２０、ＣＨ９とＣＨ２１、ＣＨ１０とＣＨ２２も同様である。そのため、本実施例では２２分割されているスクリーンを１２個のドライバ３１２ｅで駆動することが可能となっている（ドライバ３１２ｄも含めれば１３個のドライバ）。つまり、本実施例の場合、個々の分割領域に１つずつドライバ３１２ｅを設ける場合と比較してドライバ３１２ｅを１０個削減することができる。即ち、第１散乱状態と第２散乱状態とが同じタイミングとなるドライバ３１２ｅ（第２駆動部）が共通化されている。
【０１１０】
なお、本実施例では、共通化されるドライバ３１２ｅは２つずつであったが、３以上であってもよい。
【０１１１】
本実施例によれば、スクリーン２１が、対向電極２６と複数に分割された制御電極２７とに挟持された光学層２５を有し、対向電極と制御電極２７との間の電位差によって透過状態と散乱状態とに切り替え可能となっている。そして、表示装置１が、対向電極２６に電圧を印加するドライバ３１２ｄと、複数の制御電極２７にそれぞれ電圧を印加する複数のドライバ３１２ｅと、を有している場合に、第１散乱状態と第２散乱状態とが同じタイミングとなるドライバ３１２ｅが共通化されている。このようにすることにより、スクリーン２１が分割されて、各分割領域ごとに第１散乱状態と第２散乱状態とに切り替える場合において、フリッカを目立たなくして低減することができる。また、ドライバ３１２ｅが共通化されているので、ドライバ３１２ｅをスクリーン２１の分割数だけ必要とせず、回路規模や部品点数の削減ができる。
【０１１２】
なお、上述した３つの実施例では第２散乱状態は１か所（１つのタイミング）でしか変化させていなかったが、複数に分割されていてもよい。要するに、図７のように照明光等の外光の輝度が平均化されればよく、その条件を満たす複数のタイミングで第２散乱状態に変化させればよい。
【０１１３】
また、上述した３つの実施例では第１散乱状態と第２散乱状態とが散乱する周囲光の光量が一定となるようにしていたが、一定に限らない。例えば、周囲光の光量が変化していても、変化量が小さい場合はフリッカとして観察者が認識できないことがある。したがって、第２散乱状態のタイミングは、第１の実施例で挙げた式であるＴ×（１/２＋ｎ）に限らず、他のタイミングであってもよい。要するに１映像周期内に２回散乱状態として、第１散乱状態及び第２散乱状態によって散乱されるスクリーンの周囲光の光量の変化量が、第１散乱状態のみによって散乱されるスクリーンの周囲光の光量の変化量よりも少なくなるタイミングで第２散乱状態に切り替えればよい。このようにすることで、フリッカが観察者から見て低減されていると認識させることができる。
【０１１４】
また、上述した実施例は、図６や図７等に示したように、照明光等の外光の輝度が正弦波状に変化する例であったが、それに限らず、例えば急峻に立ち上がって、緩やかに立ち下がる、所謂のこぎり波状の波形であっても適用できる。この場合、第２散乱状態のタイミングは、第１の実施例で挙げた式であるＴ×（１/２＋ｎ）が適用できないため、例えば使用者等が手動で調整すればよい。
【０１１５】
あるいは、スクリーン２１の表示面の近傍に輝度や照度等を計測するセンサ等を設けて、当該センサの輝度等の変化から例えば図６の点線のようなフリッカの有無を判断し、フリッカが有る場合は、第２散乱状態のタイミングをずらすことを繰り返すような方法であってもよい。つまり、センサ出力結果を第２散乱状態のタイミング算出にフィードバックするようにしてもよい。
【０１１６】
また、上述した実施例では、周囲光の光源が１つとして説明したが、例えばスクリーン２１を挟んで観察者の反対側に液晶ディスプレイが配置されると、液晶ディスプレイのバックライトと照明器具４１との２種類の光源によりフリッカが発生する可能性がある。あるいは、点滅周期（輝度の変化周期）が異なる複数の照明器具の場合も同様である。このような周囲光として複数の周波数成分がある場合は、それらの最小公倍数を算出して、それを周囲光の変化周期として第２散乱状態のタイミングを算出すればよい。
【０１１７】
また、上述した同期制御部３１における動作をＣＰＵ等で動作するコンピュータプログラム（制御プログラム）として構成してもよい。このようにすることにより、同期制御部３１の一部をコンピュータに機能させることができる。
【０１１８】
また、本発明は上記実施例に限定されるものではない。即ち、当業者は、従来公知の知見に従い、本発明の骨子を逸脱しない範囲で種々変形して実施することができる。かかる変形によってもなお本発明の表示装置の構成を具備する限り、勿論、本発明の範疇に含まれるものである。
【符号の説明】
【０１１９】
１                表示装置
１１              プロジェクタ
２１              スクリーン
２５              光学層
２６              対向電極（第１電極）
２７              制御電極（第２電極）
３１              同期制御部
４１              照明器具
５１              照度センサ（変化周期取得部）
３１１            外光周波数入力部（変化周期取得部）
３１２、３１２Ａ  制御部（切替部、フリッカ検出部）
３１２ｄ          ドライバ（第１駆動部）
３１２ｅ          ドライバ（第２駆動部）
【図１】
2016082386.tif 000003
【図２】
2016082386.tif 000004
【図３】
2016082386.tif 000005
【図４】
2016082386.tif 000006
【図５】
2016082386.tif 000007
【図６】
2016082386.tif 000008
【図７】
2016082386.tif 000009
【図８】
2016082386.tif 000010
【図９】
2016082386.tif 000011
【図１０】
2016082386.tif 000012
【図１１】
2016082386.tif 000013
【図１２】
2016082386.tif 000014
【図１３】
2016082386.tif 000015
【図１４】
2016082386.tif 000016
【図１５】
2016082386.tif 000017
【図１６】
2016082386.tif 000018
【図１７】
2016082386.tif 000019
【図１８】
2016082386.tif 000020
【図１９】
2016082386.tif 000021